(57)【要約】【課題】メモリーの容量を増加させることなく、頭切れ、音途切れを防止して、再生可能とすること。【解決手段】再生装置１は、CD等のディスクを再生する。再生装置１は、ディスク再生部３を備える。ディスク再生部３は、ディスクの１曲目のデータを読み出して、ディスクがMQA-CDであるか否かを判断する。再生装置１は、マイクロコンピューター２をさらに備え、ディスク再生部３による、ディスクの判断結果に基づいて、ディスク再生部３の設定を行う。【選択図】図２
2020194612.tif 000002
【特許請求の範囲】
【請求項１】
ディスクを再生する再生装置であって、
前記ディスクの１曲目のデータを読み出して、前記ディスクが所定のファイル形式のディスクであるか否かを判断する再生部を備えることを特徴とする再生装置。
【請求項２】
制御部をさらに備え、
前記制御部は、前記再生部による、前記ディスクの判断結果に基づいて、前記再生部の設定を行うことを特徴とする請求項１に記載の再生装置。
【請求項３】
前記再生部は、前記ディスクの判断後、前記ディスクの１曲目の先頭に読み出し位置を戻すことを特徴とする請求項１又は２に記載の再生装置。
【請求項４】
操作部を更に備え、
前記制御部は、前記操作部の操作を受け付けた場合、前記再生部による再生を開始することを特徴とする請求項１〜３のいずれか１項に記載の再生装置。
【請求項５】
前記制御部は、前記再生部による前記ディスクの判断中から、前記ディスクの再生までに、前記ディスクのローディング中である旨を報知することを特徴とする請求項１〜４のいずれか１項に記載の再生装置。
【請求項６】
表示部を更に備え、
前記制御部は、前記再生部による前記ディスクの判断中から、前記ディスクの再生までに、前記表示部に、前記ディスクのローディング中である旨を表示することにより、前記ディスクのローディング中である旨を報知することを特徴とする請求項５に記載の再生装置。
【請求項７】
前記所定のファイル形式は、MQA（Master Quality Authenticated）であることを特徴とする請求項１〜６のいずれか１項に記載の再生装置。
【発明の詳細な説明】
【技術分野】
【０００１】
本発明は、ディスクを再生する再生装置に関する。
【背景技術】
【０００２】
近年、MQA（Master Quality Authenticated）と呼ばれる新しいデジタルコーディング方式の音楽ファイルが登場している（非特許文献１参照。）。MQA方式の音楽ファイルは、CDに記録され、MQA方式の音楽ファイルが記録されたCDは、MQA-CDと呼ばれている。MQA-CDは、通常のAudio-CD（一般的な音楽CD）と同じ容量で、サンプリングパラメータ44.1kHz、16bitよりもレゾリューションが高いハイレゾリューションオーディオ（High-Resolution Audio）を実現している。
【先行技術文献】
【特許文献】
【０００３】
【非特許文献１】Bob Stuart、外２名、“About MQA(Master Quality Authenticated)”、[online]、２０１５年１１月１日、日本オーディオ協会、［２０１９年４月１６日検索］、インターネット <URL: http://www.jas-audio.or.jp/jas_cms/wp-content/uploads/2015/12/201511-045-057.pdf>
【発明の概要】
【発明が解決しようとする課題】
【０００４】
CD等のディスクを再生する再生装置は、MQA-CDを再生する場合、MQA-CDからのデータを、MQAデコーダーにおいて、MQAエンコードの有無を判別する。従来の再生装置は、再生を行う前に、MQA-CDであるか否かを判別することができないため、データをメモリーに貯めて、出音までの時間を稼がないと、頭切れ、音途切れが発生する。
【０００５】
本発明の目的は、メモリーの容量を増加させることなく、頭切れ、音途切れを防止して、再生可能とすることである。
【課題を解決するための手段】
【０００６】
第１の発明の再生装置は、ディスクを再生する再生装置であって、前記ディスクの１曲目のデータを読み出して、前記ディスクが所定のファイル形式のディスクであるか否かを判断する再生部を備えることを特徴とする。
【０００７】
従来技術では、再生を行う前に、ディスクの種別を判別することができないため、データをメモリーに貯めて、出音までの時間を稼がないと、頭切れ、音途切れが発生する。本発明では、再生部は、ディスクの１曲目のデータを読み出して、ディスクが所定のファイル形式のディスクであるか否かを判断する。これにより、メモリーの容量を増加させることなく、頭切れ、音途切れを防止して、再生を行うことができる。
【０００８】
第２の発明の再生装置は、第１の発明の再生装置において、制御部をさらに備え、前記制御部は、前記再生部による、前記ディスクの判断結果に基づいて、前記再生部の設定を行うことを特徴とする。
【０００９】
第３の発明の再生装置は、第１又は第２の発明の再生装置において、前記再生部は、前記ディスクの判断後、前記ディスクの１曲目の先頭に読み出し位置を戻すことを特徴とする。
【００１０】
第４の発明の再生装置は、第１〜第３のいずれかの発明の再生装置において、操作部を更に備え、前記制御部は、前記操作部の操作を受け付けた場合、前記再生部による再生を開始することを特徴とする。
【００１１】
第５の発明の再生装置は、第１〜第４のいずれかの発明の再生装置において、前記制御部は、前記再生部による前記ディスクの判断中から、前記ディスクの再生までに、前記ディスクのローディング中である旨を報知することを特徴とする。
【００１２】
本発明では、制御部は、再生部によるディスクの判断中から、ディスクの再生までに、ディスクのローディング中である旨を報知する。これにより、ユーザーに、ディスクの判断中ではないと思わせることができる。
【００１３】
第６の発明の再生装置は、第５の発明の再生装置において、表示部を更に備え、前記制御部は、前記再生部による前記ディスクの判断中から、前記ディスクの再生までに、前記表示部に、前記ディスクのローディング中である旨を表示することにより、前記ディスクのローディング中である旨を報知することを特徴とする。
【００１４】
第７の発明の再生装置は、第１〜第６のいずれかの発明の再生装置において、前記所定のファイル形式は、MQA（Master Quality Authenticated）であることを特徴とする。
【発明の効果】
【００１５】
本発明によれば、メモリーの容量を増加させることなく、頭切れ、音途切れを防止して、再生を行うことができる。
【図面の簡単な説明】
【００１６】
【図１】本発明の実施形態に係る再生装置の構成を示すブロック図である。
【図２】ディスクを再生する場合の再生装置の処理動作を示すフローチャートである。
【発明を実施するための形態】
【００１７】
以下、本発明の実施形態について説明する。図１は、本発明の実施形態に係る再生装置１の構成を示すブロック図である。再生装置１は、CD等のディスクを再生する。再生装置１は、マイクロコンピューター２、ディスク再生部３、操作部４、表示部５等を備える。
【００１８】
マイクロコンピューター２（制御部）は、ＣＰＵ（Central Processing Unit）、ＲＯＭ（Read Only Memory）、ＲＡＭ（Random Access Memory）等のハードウェアから構成されている。ＣＰＵは、ＲＯＭに記憶されたプログラムに従って、再生装置１を構成する各部を制御する。ＲＡＭは、ＣＰＵのメインメモリーとして機能する。ＲＯＭは、プログラムを記憶する。
【００１９】
ディスク再生部３は、ディスクを再生する。ディスク再生部３は、図示しないが、ディスクを搬送する搬送装置、ディスクを回転するモーター、レーザー光をディスクに照射し、反射光を受光して再生信号を生成するピックアップ、モーター及びピックアップを制御するドライバー、信号処理部、デジタル信号をアナログ信号に変換するＤ／Ａコンバーター（以下、「ＤＡＣ」という。）等を備える。
【００２０】
操作部４は、ユーザー操作を受け付けるためのものであり、再生装置１の筐体に設けられた操作ボタンやリモートコントローラーである。ユーザーは、操作部４を操作することにより、例えば、音声信号のボリューム値を再生装置１に指示したり、ディスクの再生を指示したりすることができる。マイクロコンピューター２は、操作部４の操作を受け付ける。表示部５は、設定画面等を表示するものであり、ＬＣＤ（液晶ディスプレイ）や蛍光表示管等である。
【００２１】
ディスク再生部３は、再生装置１に挿入されたディスクの１曲目のデータを読み出し、ディスクが、MQA（Master Quality Authenticated）形式（所定のファイル形式）のディスク（MQA-CD）であるか否かを判断する。具体的には、ディスク再生部３は、ディスクの１曲目（トラック１）を再生し、MQA情報を読み出し、MQA-CDであるか否かを判断する。マイクロコンピューター２は、ディスク再生部３による、ディスクの判断結果に基づいて、ディスク再生部３の設定を行う。マイクロコンピューター２は、ディスク再生部３が、MQA-CDであると判断した場合、信号経路、ＤＡＣ等の設定を、MQA再生時の設定に変更する。なお、ディスク再生部３は、通常のAudio-CDの再生用に設定されているため、MQA-CDではない通常のAudio-CDである場合、マイクロコンピューター２は、ディスク再生部３の設定を変更しない。ディスク再生部３は、ディスクの判断後、ディスクの１曲目の先頭に読み出し位置を戻す。
【００２２】
マイクロコンピューター２は、操作部４の再生ボタンがユーザーにより操作されるまで待機し、操作部４の操作を受け付けた場合、ディスク再生部３による再生を開始する。マイクロコンピューター２は、ディスク再生部３によるディスクの判断中から、ディスクの再生までに、表示部５に、ディスクのローディング中である旨を表示することにより、前記ディスクのローディング中である旨を報知する。なお、本実施形態では、表示により、ディスクのローディング中である旨を報知するが、これに限らず、音により報知するようになっていてもよい。
【００２３】
以下、ディスクを再生する場合の再生装置１の処理動作を、図２に示すフローチャートに基づいて説明する。ディスク再生部３は、ディスクのローディングを行う（Ｓ１）。次に、ディスク再生部３は、ディスク判別を行い、ディスクがCDであるか否かを判断する（Ｓ２）。ディスク再生部３は、ディスクがCDでないと判断した場合（Ｓ２：Ｎｏ）、通常の再生を行う（通常再生モード）（Ｓ３）。ディスク再生部３は、ディスクがCDであると判断した場合（Ｓ２：Ｙｅｓ）、ディスクのトラック１を再生し、MQA情報を読み出す（Ｓ４）。
【００２４】
次に、ディスク再生部３は、読み出したMQA情報に基づいて、MQA-CDであるか否かを判断する（Ｓ５）。ディスク再生部３は、MQA-CDでないと判断した場合（Ｓ５：Ｎｏ）、通常の再生（Audio-CDの再生）を行う（Ｓ６）。マイクロコンピューター２は、ディスク再生部３が、MQA-CDであると判断した場合（Ｓ６：Ｙｅｓ）、MQA情報に基づいて、信号処理（ＤＡＣ等）の設定処理を行う（Ｓ７）。次に、ディスク再生部３は、トラック１を曲頭に戻す（Ｓ８）。ディスク再生部３は、マイクロコンピューター２が、操作部４の再生ボタンの操作を受け付けると、MQA再生を行う（Ｓ９）。図２に示す堀動作と並行して、マイクロコンピューター２は、ディスク再生部３によるディスクの判断中から、ディスクの再生までに、表示部５に、ディスクのローディング中である旨を表示することにより、ディスクのローディング中である旨を報知する。
【００２５】
従来技術では、再生を行う前に、ディスクの種別を判別することができないため、データをメモリーに貯めて、出音までの時間を稼がないと、頭切れ、音途切れが発生する。本実施形態では、ディスク再生部３は、ディスクの１曲目のデータを読み出して、ディスクがMQA-CDであるか否かを判断する。これにより、メモリーの容量を増加させることなく、頭切れ、音途切れを防止して、再生を行うことができる。
【００２６】
また、本実施形態では、マイクロコンピューター２は、ディスク再生部３によるディスクの判断中から、ディスクの再生までに、表示部５に、ディスクのローディング中である旨を表示することにより、ディスクのローディング中である旨を報知する。これにより、ユーザーに、ディスクの判断中ではないと思わせることができる。
【００２７】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２８】
本発明は、ディスクを再生する再生装置に好適に採用され得る。
【符号の説明】
【００２９】
１  再生装置
２  マイクロコンピューター（制御部）
３  ディスク再生部
４  操作部
５  表示部
【図１】
2020194612.tif 000003
【図２】
2020194612.tif 000004